(57)【特許請求の範囲】
【請求項１】
引戸Ｙの縦框８の開口部９内に設けられた固定枠１６と、この固定枠及び前記縦框８の前面に固定された案内板１１の両方に出入り自在に案内されるように固定枠１６内に組込まれた箱状作動部材１４と、この箱状作動部材１４の水平案内長孔２１を通過した状態で前記固定枠１６の側壁に横設軸架され、かつ、箱状作動部材１４内に装備された鎌片１７を軸支する固定支軸１８と、前記鎌片１７の内端部１７ｂに形成された非円形の係合孔１９を貫通するように箱状作動部材１４の側壁に横設軸架された鎌片用の作動軸２０と、引戸の開戸時に箱状作動部材１４の先端部を前記案内板１１の窓部１３から突出させるように固定枠１６内に設けられた緩衝用押しバネ１５とから成り、前記鎌片１７は、前記鎌片用の作動軸を含む箱状作動部材１４の進退動に追従して回動することを特徴とする引戸の鎌錠装置。
【請求項２】
請求項１に於いて、箱状作動部材１４の側壁には、固定枠１６の側壁１６ｂに形成された水平案内部２３に案内される可動支軸２２が一体的に設けられていることを特徴とする引戸の鎌錠装置。
【請求項３】
引戸Ｙの縦框８の開口部９内に設けられた固定枠１６と、この固定枠及び前記縦框８の前面に固定された案内板１１の両方に出入り自在に案内されるように固定枠１６内に組込まれた箱状作動部材１４と、この箱状作動部材１４の水平案内長孔２１を通過した状態で前記固定枠１６の側壁に横設軸架され、かつ、箱状作動部材１４内に装備された鎌片１７を軸支する固定支軸１８と、前記鎌片１７の内端部１７ｂに形成された非円形の係合孔１９を貫通するように箱状作動部材１４の側壁に横設軸架された鎌片用の作動軸２０と、引戸の開戸時に箱状作動部材１４の先端部を前記案内板１１の窓部１３から突出させるように固定枠１６内に設けられた緩衝用押しバネ１５と、箱状作動部材１４の上方又は下方に配設され、かつ、箱状作動部材１４の一側壁に形成した被係合部２４と係脱するロックバー４５と、該ロックバー４５を係脱させる駆動受け部３７を有する摺動体３４とを有するロック機構Ｚとから成り、前記鎌片１７は、前記鎌片用の作動軸を含む箱状作動部材１４の進退動に追従して回動し、また、前記ロックバー４５は引戸の閉戸時に固定枠内へと後退した箱状作動部材１４を自動的に拘束することを特徴とする引戸の鎌錠装置。
【請求項４】
請求項３に於いて、ロック機構Ｚは、さらに、摺動体３４の連結杆３６に連結され、かつ引戸Ｙの把手３１内にスライド可能に設けられた操作片３０と、前記摺動体３４を初期位置へと付勢するバネ４１と、ロックバー４５を係合方向へと付勢するバネ４６を有することを特徴とする引戸の鎌錠装置。
【発明の詳細な説明】
【０００１】
【発明の属する技術分野】
本発明は、引戸の鎌錠装置に関する。
【０００２】
【従来の技術】
上下の横枠及び縦枠で矩形状に形成された戸枠体内を水平移動する引戸は、勢い良く縦枠に衝突すると、跳ね返り現象により、戸枠体の縦枠側と引戸の縦框側との間に間隙が生じると言う問題点がある。このような問題点を解消するために、従来、特公平４−７５９８６号公報に一例（自動閉鎖装置）が記載されている。この実施例は、引戸の縦框と対向する縦枠の適宜部位に比較的大きな凹所を形成し、この凹所内にエアシリンダー等を横方向に組み込み、かつ、エアシリンダーの圧力媒体により作動する係合棒をシリンダー孔に摺動可能に内装することにより、引戸の衝突を検知する検知機構を構成している。
【０００３】
そして、該検知機構は、引戸が縦枠に衝突した時に、引戸の縦框に突出するように固着された長円状係合具と、圧力媒体を介して昇降動する前記係合棒との係止関係により、引戸の閉戸時に引戸の拘束を図っている。
【０００４】
しかしながら、上記構成に於いては、引戸の鎌錠装置とは別に、いわゆるオプションとして自動閉鎖装置を引戸の縦框に取付けなければならない訳であるが、設置場所，設置コスト，メンテナンス等の観点から色々と解決すべき問題点を有していた。特に、検知機構はエアシリンダーを構成要素とするので、対引戸との関係で止むを得ず縦框に凹所を形成しなければならないので、敬遠気味であった。
【０００５】
【発明が解決しようとする課題】
本発明は以上のような従来の問題点に鑑み、第１の目的は、引戸の閉戸時に引戸の鎌片が縦枠側の掛止金具に自動的に掛合することである。この場合引戸の縦框に設けた箱状作動部材のスムースに後退動し、これに追従して回転する鎌片が合理的に掛合状態へと回転することである。第２の目的は、引戸の閉戸時に箱状作動部材の拘束を介して鎌片を自動的に仮施錠することができることである。第３の目的は、引戸の把手内に位置する操作片を指で操作するだけで、箱状作動部材に対するロックを簡単に解消することができることである。第４の目的は引戸の縦框内に組込むことができることである。
【０００６】
【課題を解決するための手段】
本発明の引戸の鎌錠装置は、引戸Ｙの縦框８の開口部９内に設けられた固定枠１６と、この固定枠及び前記縦框８の前面に固定された案内板１１の両方に出入り自在に案内されるように固定枠１６内に組込まれた箱状作動部材１４と、この箱状作動部材１４の水平案内長孔２１を通過した状態で前記固定枠１６の側壁に横設軸架され、かつ、箱状作動部材１４内に装備された鎌片１７を軸支する固定支軸１８と、前記鎌片１７の内端部１７ｂに形成された非円形の係合孔１９を貫通するように箱状作動部材１４の側壁に横設軸架された作動軸２０と、引戸の開戸時に箱状作動部材１４の先端部を前記案内板１１の窓部１３から突出させるように固定枠１６内に設けられた緩衝用押しバネ１５とから成り、前記鎌片１７は箱状作動部材１４の進退動に追従して回動することを特徴とする。
【０００７】
上記構成に於いて、箱状作動部材１４の側壁には、固定枠１６の側壁１６ｂに形成された水平案内部２３に案内される可動支軸２２が一体的に設けられていることを特徴とする。
【０００８】
また本発明の引戸の鎌錠装置は、引戸Ｙの縦框８の開口部９内に設けられた固定枠１６と、この固定枠及び前記縦框８の前面に固定された案内板１１の両方に出入り自在に案内されるように固定枠１６内に組込まれた箱状作動部材１４と、この箱状作動部材１４の水平案内長孔２１を通過した状態で前記固定枠１６の側壁に横設軸架され、かつ、箱状作動部材１４内に装備された鎌片１７を軸支する固定支軸１８と、前記鎌片１７の内端部１７ｂに形成された非円形の係合孔１９を貫通するように箱状作動部材１４の側壁に横設軸架された作動軸２０と、引戸の開戸時に箱状作動部材１４の先端部を前記案内板１１の窓部１３から突出させるように固定枠１６内に設けられた緩衝用押しバネ１５と、箱状作動部材１４の上方又は下方に配設され、かつ、箱状作動部材１４の一側壁に形成した被係合部２４と係脱するロックバー４５並びに該ロックバー４５を係脱させる駆動受け部３７をそれぞれ有する摺動体３４を備えるロック機構Ｚとから成り、前記鎌片１７は箱状作動部材１４の進退動に追従して回動し、また、前記ロックバー４５は引戸の閉戸時に固定枠内へと後退した箱状作動部材１４を自動的に拘束することを特徴とする。
【０００９】
【発明の実施の形態】
以下、図面に示す引戸の鎌錠装置Ｘについて説明する。なお、この実施例の説明において、上下／左右の用語は、図２を基準にする。
【００１０】
まず鎌錠装置Ｘの具体的な構成を説明する前に戸枠体の縦枠１に取付けられた掛止金具（ストライク）２について説明する。掛止金具２は、説明の便宜上シンプルな構成を図示してある。
【００１１】
すなわち、３は上下部にビス孔を有する前面板で、この前面板３は複数個の固定用ビス４を介して縦枠１に固着される。前面板３は後述する鎌片１７の先端部が出入りする掛合用窓５を有する。６は縦枠１内に設けられかつ前記固定用ビス４を介して前面板３に一体的に設けられた受け枠である。この受け枠６と前面板３との間には板状の掛止部材７が設けられている。もちろん、掛止部材７は所望の形状に形成することができる。
【００１２】
次に鎌錠装置Ｘの具体的な構成を説明する。この鎌錠装置Ｘは引戸Ｙの縦框８の開口部９に組込まれている。さて、１１は前述した掛止金具２の前面板３と対向する長板状の案内板である。この案内板１１も前面板３と同様に複数個の固定用ビス１２を介して引戸の縦框８に固着される。１３は案内板１１の中央部に形成され、かつ、作動部材１４を案内する矩形状の窓部である。
【００１３】
前記作動部材１４は、本実施例では先端開口の箱状に形成され、案内板１１の窓部１３に出入り自在或いは進退動自在に設けられている。１５は箱状作動部材１４の右側壁１４ａと固定枠１６の右側壁１６ａとの間に介在する緩衝用押しバネである。この緩衝用押しバネ１５は、箱状作動部材１４を飛び出る方向に付勢する。
【００１４】
したがって、箱状作動部材１４は引戸Ｙの閉戸時（鎌片掛合時）には緩衝用押しバネ１５のバネ力に抗して後退し、一方、引戸Ｙの開戸時には緩衝用押しバネ１５の復帰力により所定の位置まで飛び出る。この作動態様を念頭に箱状作動部材１４に軸支された鎌片１７について説明する。
【００１５】
鎌片１７は普通一般の形態をしており、図２で示すように引戸Ｙの閉戸時には、掛合部に相当する先端部１７ａは、掛合用窓５を通過して受け枠６内に入込む。しかして、１８は鎌片１７の中央部寄りの部位を枢支する固定支軸で、この固定支軸１８は固定枠１６の正面並びに背面の側壁（図２では背面の側壁だけが見える）１６ｂに横設軸架されている。
【００１６】
ところで、本実施例の鎌片１７は、この固定支軸１８を基準として上方の内端部１７ｂに非円形の係合孔１９を有している。この係合孔１９には箱状作動部材１４の正面並びに背面の側壁（図２では背面の側壁だけが見える）１４ｂに横設軸架された鎌片用の作動軸２０が遊嵌合状態に貫通している。この作動軸２０は固定枠１６ではなく、箱状作動部材１４と一体である。したがって、箱状作動部材１４と共に水平方向へ移動する。それ故に、この作動軸２０は可動軸であるのに対し、この作動軸２０よりも下方に位置する支軸１８は固定軸ということになる。そこで、箱状作動部材１４の正面並びに背面の側壁１４ｂには、前記固定支軸１８に対する水平案内長孔２１が形成されている。また箱状作動部材１４の正面並びに背面の側壁１４ｂの適宜箇所には可動支軸２２が横設軸架されている。この可動支軸２２は箱状作動部材１４がスムースに進退動するように箱状作動部材１４に一体的に設けた部材であり、本実施例では突出両端部が、例えば固定枠１６の正面並びに背面の側壁１６ｂに形成した水平案内部（水平溝，水平長孔等）２３に案内されている。なお、箱状作動部材１４の上壁１４ｃの中央部寄りの部位には、後述するロック機構のロックバーが係脱する被係合部（凹所，係合孔等）２４が形成されている。
【００１７】
上記構成に於いて、引戸Ｙの閉戸時に鎌片１７が自動的に受け枠６内に入込み、いわゆる掛合可能状態になる場合について説明する。
【００１８】
図３は本発明の実施例（請求項１に記載の発明）に後述のロック機構Ｚを加味した実施例を兼用した説明図である。この図３で示すようにロック機構Ｚのロックバーが箱状作動部材１４の被係合部２４から離れている場合には、箱状作動部材１４は自由である。したがって、箱状作動部材１４は引戸Ｙの開戸時には、矢印で示すように緩衝用押しバネ１５のバネ力により案内板１１の窓部１３から飛び出ている。なお、この場合特に図示しないが、例えば箱状作動部材１４の外壁面の適宜部位には係止突起が設けられており、箱状作動部材１４は矢印で示すように所定の位置まで飛び出ている。
【００１９】
そこで、引戸Ｙを閉めて行くと、今、図４で示すように引戸Ｙが完全に閉まる手前から、箱状作動部材１４の突出先端面１４ｄが縦枠１側の前面板３に衝突する。そうすると、箱状作動部材１４は緩衝用押しバネ１５のバネ力に抗して固定枠１６内へと後退し始める。この時固定支軸１８を介して箱状作動部材１４内に装備された鎌片１７は、箱状作動部材１４と共に横移動する作動軸２０により、前記固定支軸１８を支点に時計（掛合）方向へと回される。
【００２０】
したがって、図２で示すように、少なくとも引戸Ｙの案内板１１が縦枠１側の前面板３に衝突する寸前には、箱状作動部材１４は緩衝用押しバネ１５のバネ力に抗して略後退しているので、鎌片１７は掛止金具２の掛止部材７に対し、自動的に掛止可能な状態となる。このように本実施例の鎌片１７は、箱状作動部材１４の進退動に追従して回動する。なお、引戸Ｙを開いた場合には、箱状作動部材１４並びに鎌片１７の作動態様は逆になる。
【００２１】
ところで、本発明の鎌錠装置Ｘには、引戸Ｙの閉戸時に前記箱状作動部材１４を自動的にロックするロック機構（ロックを解除する機能も含む）Ｚも備えているので、以下、このロック機構Ｚを説明する。
【００２２】
図６はロック機構Ｚの一例を示す。このロック機構Ｚは、引戸Ｙの閉戸時、つまり鎌片１７の掛合時に後退した箱状作動部材１４を拘束するために設けられている。本実施例ではロック機構Ｚの主たる部材は、固定枠１６内の上端部でかつ箱状作動部材１４の上方に配設されている。
【００２３】
すなわち、３０は引戸Ｙの把手３１内にスライド可能に設けられた操作片で、この操作片３０には円形の嵌合孔３２が形成されている。また操作片３０の一端部には指掛け用の突起部３３が形成されている。３４は固定枠１６内に水平動可能に組込まれたブロック状の摺動体で、この摺動体３４の把手３１側に位置する指状部３５には、該指状部３５と交差しかつ前記操作片３０の嵌合孔３２に固定的に嵌合する連結杆３６が設けられている。３７は指状部３５の端部に一体的に連設するロックバー用駆動受け部である。この駆動受け部３７は、中央部に空間部３８を有し、いわば二本の指（例えば人差し指と中指）を上向きに折り曲げたような格好をしている。そして、係合突起，テーパ面，水平受け面，ハネ受け面などを有する。
【００２４】
しかして、３７ａは摺動体３４の他端部（上方の水平面）に突出形成した一対の係合突起で、これらの係合突起３７ａ，３７ａは、固定枠１６の側壁１６ｂに形成した水平案内切欠部４０とそれぞれ係合する。また３７ｂは上方の水平面に連設する一対のテーパ面で、これらのテーパ面３７ｂ，３７ｂは下方の水平受け面３７ｃに連設している。また３７ｄは一対のバネ４１，４１の端部をそれぞれ受けるバネ受け垂直面で、これらのバネ受け垂直面３７ｄ，３７ｄと固定枠１６の右側壁１６ａの内面の間には前記バネ４１，４１が介在している。
【００２５】
最後に４５は下端部がピン状に形成されたロックバーで、このロックバー４５は前述したロックバー用駆動受け部３７に支持された状態で、その小径下端部４５ａが空間部３８に差し込まれている。ロックバー４５の小径下端部４５ａに連設する大径中途部４５ｂの下面は、少なくとも駆動受け部３７のテーパ面３７ｂ，３７ｂ並びにバネ受け垂直面３７ｄ，３７ｄと摺接する部分である。また、ロックバー４５の大径上端部４５ｃには縦方向のバネ４６を受ける凹所４７が形成されている。このようにロックバー４５は駆動受け部３７に支持された状態で、そのピン状下端部４５ａの先端部が箱状作動部材１４の被係合部２４と係脱可能になっている。
【００２６】
上記構成に於いて、図２で示すように引戸Ｙの閉戸時には、ロック機構Ｚのロックバー４５は、縦方向のバネ４６に押されて箱状作動部材１４の被係合部２４に係合している。その結果、単に引戸Ｙを開けようとしても開かない。箱状作動部材１４がロックバー４５にロックされているため、鎌錠装置Ｘは、いわゆる仮施錠の状態となっている。
【００２７】
そこで、引戸Ｙを開けようとする場合には仮施錠の状態を解消させる必要がある。本実施例の場合には、把手３１の凹所内に操作片３０がスライド可能に設けられているので、把手３１に指を掛けると同時に操作片３０の突起部３３にも指を掛ける。そして、操作片３０を押す。
【００２８】
そうすると、図５で示すようにブロック状摺動体３４は一対のバネ４１，４１のバネ力に抗して右方向へ摺動する。この時摺動体３４は固定枠１６の右側壁１６ａに形成したガイド窓４８にも案内される。摺動体３４が右方向へ移動すると、ロックバー４５は駆動受け部３７のテーパ面３７ｂ，３７ｂを登る。したがって、ロックバー４５は縦方向のバネ４６のバネ力に抗して上昇し、被係合部２４から離れる。その結果、図３で示すように引戸Ｙを開けると、ロックバー４５から解放されている箱状作動部材１４は、緩衝用押しバネ１５のバネ力により案内板１１から飛び出す。
【００２９】
なお、前述したように引戸Ｙの閉戸時の手前において箱状作動部材１４の先端面が縦枠１側の前面板３に衝打し、その後に引戸Ｙが閉戸状態になると、ロックバー４５と被係合部２４が対向するので、ロックバー４５はバネ４６のバネ力により下降し、図２で示すように箱状作動部材１４を拘束する。
【００３０】
【実施例】
鎌錠装置Ｘに加味したロック機構Ｚは、本実施例では箱状作動部材１４の上方に配設したが、設計如何により下方に配設することもできる。また本実施例では箱状作動部材１４及び固定枠１６の正面の各側壁は説明の便宜上省略してあるが、正面の各側壁にも背面の各側壁１４ｂ，１６ｂと同様に水平案内長孔２０などが形成されている。なお、箱状作動部材１４の側壁に設けられた可動支軸２２は、固定枠１６の側壁１６ｂの水平案内部２３とスライド係合するのであれば、単なる突起軸であっても良い。
【００３１】
【発明の効果】
以上の説明から明らかなように、本発明にあっては、次に列挙するような効果がある。
（１）引戸の閉戸時に引戸の鎌片が縦枠側の掛止金具に自動的に掛合する。この場合引戸の縦框に設けた箱状作動部材のスムースに後退動し、これに追従して回転する鎌片が合理的に掛合状態へと回転する。
（２）引戸の閉戸時に箱状作動部材の拘束を介して鎌片を自動的に仮施錠することができる。
（３）引戸の把手内に位置する操作片を指で操作するだけで、箱状作動部材に対するロックを簡単に解消することができる。
（４）縦枠に凹所を形成することなく、引戸の縦框内に組込むことができる。
【図面の簡単な説明】
図１乃至図６は本発明の実施例を示す各説明図。
【図１】発明の実施の形態を示す概略説明図。
【図２】図１に於いて、縦断正面図（説明の基準となる図面）。
【図３】引戸の開戸時における箱状作動部材の概略説明図。
【図４】引戸の閉戸時の手前における箱状作動部材並びに鎌片の作動状態を示す概略説明図。
【図５】引戸の閉戸時に於いて、把手側の操作片を操作した場合のロック機構のロック解消状態の概略説明図。
【図６】ロック機構の分解斜視図。
【符号の説明】
Ｘ…鎌錠装置、Ｙ…引戸、Ｚ…ロック機構、１…縦枠、２…掛止金具、３…前面板、５…掛合用窓、６…受け枠、７…掛止部材、８…縦框、９…開口部、１１…案内板、１３…窓部、１４…箱状作動部材、１４ｄ…突出先端面、１５…緩衝用押しバネ、１６…固定枠、１７…鎌片、１７ａ…先端部、１７ｂ…内端部、１８…固定支軸、１９…係合孔、２０…作動軸、２１…水平案内長孔、２２…可動支軸、２３…水平案内部、２４…被係合部、３０…操作片、３１…把手、３４…摺動体、３７…駆動受け部、３８…空間部、４０…水平案内切欠部、４１，４６…バネ、４５…ロックバー。
【図１】
0004108233.tif 000002
【図２】
0004108233.tif 000003
【図３】
0004108233.tif 000004
【図４】
0004108233.tif 000005
【図５】
0004108233.tif 000006
【図６】
0004108233.tif 000007